(57)【要約】【課題】データ記録と印刷が可能なメディアに対し、複製に適した処理を行うことができるようにする。【解決手段】データ記録が指示される記録対象データと、印刷に使用される印刷用データとを取得し（ステップＳＰ１２）、発行処理が指示された場合に、記録対象データと印刷用データとをディスクにデータ記録させるとともに、印刷用データに基づいてディスクに印刷させるようにした（ステップＳＰ１４）。【選択図】図３
2014120185.tif 000002
【特許請求の範囲】
【請求項１】
データ記録と印刷が可能なメディアに対し、データ記録と印刷とを含む発行処理を実行するメディア処理装置において、
前記データ記録が指示される記録対象データと、前記印刷に使用される印刷用データとを取得する情報取得部と、
前記発行処理が指示された場合に、前記記録対象データと前記印刷用データとを前記メディアにデータ記録させるとともに、前記印刷用データに基づいて前記メディアに印刷させる制御部と、
を備えることを特徴とするメディア処理装置。
【請求項２】
前記制御部は、前記記録対象データと区分けされるフォルダーに、前記印刷用データを格納させて前記メディアにデータ記録させることを特徴とする請求項１に記載のメディア処理装置。
【請求項３】
前記フォルダーは、予め指定されたフォルダー名のフォルダーであることを特徴とする請求項２に記載のメディア処理装置。
【請求項４】
前記記録対象データと前記印刷用データとがデータ記録された記録済みメディアの複製が指示された場合、前記情報取得部が、前記記録済みメディアに記録された前記記録対象データと前記印刷用データとを読み取り、前記制御部が、読み取った両データを複製先のメディアにデータ記録させるとともに、読み取った印刷用データに基づいて前記複製先のメディアに印刷させることを特徴とする請求項１乃至３のいずれか一項に記載のメディア処理装置。
【請求項５】
前記情報取得部は、前記記録済みメディアに記録された前記記録対象データと前記印刷用データとを、前記制御部が展開可能なファイル形式のデータで読み取り、前記制御部は、読み取った両データを含むイメージファイルを生成して前記複製先のメディアにデータ記録させることを特徴とする請求項４に記載のメディア処理装置。
【請求項６】
前記情報取得部は、前記記録済みメディアから、前記記録対象データに含まれないメディア管理情報を更に読み取り、前記制御部は、前記メディア管理情報を含む前記イメージファイルを生成して前記複製先のメディアにデータ記録させることを特徴とする請求項５に記載のメディア処理装置。
【請求項７】
前記記録対象データの容量若しくはフォルダー名の少なくともいずれかが、前記メディアに対する前記記録対象データと前記印刷用データとのデータ記録を阻害する容量若しくはフォルダー名か否かを判定する判定部を有し、前記データ記録を阻害しない場合に前記記録対象データと前記印刷用データとを前記メディアへデータ記録させることを特徴とする請求項１乃至６のいずれか一項に記載のメディア処理装置。
【請求項８】
データ記録と印刷が可能なメディアに対し、データ記録と印刷を行う電子機器を制御する制御装置において、
前記データ記録が指示される記録対象データと、前記印刷に使用される印刷用データとを取得する情報取得部と、
データ記録と印刷とを含む発行処理が指示された場合に、前記記録対象データと前記印刷用データとを前記メディアにデータ記録させるとともに、前記印刷用データに基づいて前記メディアに印刷させる制御部と、
を備えることを特徴とする制御装置。
【請求項９】
データ記録と印刷が可能なメディアに対し、データ記録と印刷を行う電子機器を制御するコンピューターにより実行される制御プログラムであって、
前記コンピューターを、
前記データ記録が指示される記録対象データと、前記印刷に使用される印刷用データとを取得する手段と、
データ記録と印刷とを含む発行処理が指示された場合に、前記記録対象データと前記印刷用データとを前記メディアにデータ記録させるとともに、前記印刷用データに基づいて前記メディアに印刷させる手段と、して機能させることを特徴とする制御プログラム。
【発明の詳細な説明】
【技術分野】
【０００１】
本発明は、データ記録用のメディアを処理するメディア処理装置、制御装置および制御プログラムに関する。
【背景技術】
【０００２】
ＣＤやＤＶＤ等の光ディスク型の記録メディアに対し、データ記録と印刷を行うメディア処理装置が知られている（例えば、特許文献１参照）。このメディア処理装置は、メディアの記録面に記録する記録データの指定やレーベル面に印刷する印刷画像の指定を行うディスク作成用アプリケーションを有し、ユーザー（ディスク作成者）が記録データや印刷画像を指定する必要がある。
また、レーベル面に印刷を行うレーベル印刷装置には、データとレーベル情報とを記録した記録メディアから、レーベル情報を読み取り、レーベル情報に基づいてレーベル面に印刷する技術が提案されている（例えば、特許文献１参照）。
【先行技術文献】
【特許文献】
【０００３】
【特許文献１】特開２０１２−１９８９７０号公報
【特許文献２】特開２００７−１８６１２号公報
【発明の概要】
【発明が解決しようとする課題】
【０００４】
ところで、光ディスク等のメディアの寿命が有限であることが一般的に認知されるようになり、メディアの作り替え（データマイグレーションとも言う）の需要が高まっている。
従来のマイグレーション作業では、複製メディアを作成する際、複製元メディアのレーベル面をスキャナーで取り込む必要があり、手間がかかってしまう。一方、複製元メディアのレーベル面の印刷用データ（例えば、レーベル面の画像データ）を取得して保存しておき、複製時にそのデータを使って印刷する方法が考えられる。しかし、そのデータを保存し忘れたり、データの保存場所が判らなくなってしまうおそれがあった。
【０００５】
本発明は、上述した事情に鑑みてなされたものであり、データ記録と印刷が可能なメディアに対し、複製に適した処理を行うことができるメディア処理装置、制御装置および制御プログラムを提供することを目的とする。
【課題を解決するための手段】
【０００６】
上記目的を達成するために、本発明は、データ記録と印刷が可能なメディアに対し、データ記録と印刷とを含む発行処理を実行するメディア処理装置において、前記データ記録が指示される記録対象データと、前記印刷に使用される印刷用データとを取得する情報取得部と、前記発行処理が指示された場合に、前記記録対象データと前記印刷用データとを前記メディアにデータ記録させるとともに、前記印刷用データに基づいて前記メディアに印刷させる制御部と、を備えることを特徴とする。
この構成によれば、記録対象データと印刷用データとをメディアにデータ記録させるとともに、前記印刷用データに基づいて前記メディアに印刷させるので、複製に適した処理を行うことができる。
【０００７】
上記構成において、前記制御部は、前記記録対象データと区分けされるフォルダーに、前記印刷用データを格納させて前記メディアにデータ記録させても良い。この構成によれば、印刷用データを探しやすくなる。
また、上記構成において、前記フォルダーは、予め指定されたフォルダー名のフォルダーでも良い。この構成によっても、印刷用データを探しやすくなる。
【０００８】
また、上記構成において、前記記録対象データと前記印刷用データとがデータ記録された記録済みメディアの複製が指示された場合、前記情報取得部が、前記記録済みメディアに記録された前記記録対象データと前記印刷用データとを読み取り、前記制御部が、読み取った両データを複製先のメディアにデータ記録させるとともに、読み取った印刷用データに基づいて前記複製先のメディアに印刷させても良い。この構成によれば、複製メディアを容易に作成することができる。
【０００９】
また、上記構成において、前記情報取得部は、前記記録済みメディアに記録された前記記録対象データと前記印刷用データとを、前記制御部が展開可能なファイル形式のデータで読み取り、前記制御部は、読み取った両データを含むイメージファイルを生成して前記複製先のメディアにデータ記録させても良い。この構成によれば、複製先のメディアに記録された記録対象データおよび印刷用データを容易に展開等することができる。
【００１０】
また、上記構成において、前記情報取得部は、前記記録済みメディアから、前記記録対象データに含まれないメディア管理情報を更に読み取り、前記制御部は、前記メディア管理情報を含む前記イメージファイルを生成して前記複製先のメディアにデータ記録させても良い。この構成によれば、メディア管理情報を容易に確認することができる。また、このメディア管理情報を使用して複製先のメディアのメディア管理情報を設定すれば、複製先のメディアのメディア管理情報を、複製元のメディアと同じ情報に容易に設定することができる。
【００１１】
また、上記構成において、前記記録対象データの容量若しくはフォルダー名の少なくともいずれかが、前記メディアに対する前記記録対象データと前記印刷用データとのデータ記録を阻害する容量若しくはフォルダー名か否かを判定する判定部を有し、前記データ記録を阻害しない場合に前記記録対象データと前記印刷用データとを前記メディアへデータ記録させても良い。この構成によれば、記録対象データの容量若しくはフォルダー名が適正か否かをデータ記録前に判定することができる。
【００１２】
また、本発明は、データ記録と印刷が可能なメディアに対し、データ記録と印刷を行う電子機器を制御する制御装置において、前記データ記録が指示される記録対象データと、前記印刷に使用される印刷用データとを取得する情報取得部と、データ記録と印刷とを含む発行処理が指示された場合に、前記記録対象データと前記印刷用データとを前記メディアにデータ記録させるとともに、前記印刷用データに基づいて前記メディアに印刷させる制御部と、を備えることを特徴とする。この構成によれば、記録対象データと印刷用データとをメディアにデータ記録させるとともに、前記印刷用データに基づいて前記メディアに印刷させるので、複製に適した処理を行うことができる。
【００１３】
また、本発明は、データ記録と印刷が可能なメディアに対し、データ記録と印刷を行う電子機器を制御するコンピューターにより実行される制御プログラムであって、前記コンピューターを、前記データ記録が指示される記録対象データと、前記印刷に使用される印刷用データとを取得する手段と、データ記録と印刷とを含む発行処理が指示された場合に、前記記録対象データと前記印刷用データとを前記メディアにデータ記録させるとともに、前記印刷用データに基づいて前記メディアに印刷させる手段と、して機能させることを特徴とする。
この構成によれば、この制御プログラムによって、上記制御装置の各構成を実現することができる。
【発明の効果】
【００１４】
本発明によれば、メディアに記録されるデータを、複製に好適なデータで効率よく取得することができる。
【図面の簡単な説明】
【００１５】
【図１】本実施形態のメディア処理装置の機能構成を示した図である。
【図２】イメージファイルの概要を示した図である。
【図３】第１発行処理を示すフローチャートである。
【図４】発行用操作画面の具体例を示した図である。
【図５】予約フォルダーの説明に供する図である。
【図６】第２発行処理を示すフローチャートである。
【発明を実施するための形態】
【００１６】
以下、図面を参照して本発明の実施形態について説明する。
図１は、本実施形態のメディア処理装置の機能構成を示した図である。このメディア処理装置１は、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ（登録商標））等のディスク型光学記録媒体であるディスク（メディア）を処理対象とした処理システムである。
メディア処理装置１は、ディスクにデータ記録と印刷とを行う複合型の電子機器であるパブリッシャー（メディア発行装置）２と、パブリッシャー２を制御するホスト装置（制御装置）３とを備え、ホスト装置３によりパブリッシャー２内に存在する複数のデバイスを制御する複数デバイス制御装置としても機能している。
パブリッシャー２とホスト装置３とは、単一のＵＳＢ（Ｕｎｉｖｅｒｓａｌ  Ｓｅｒｉａｌ  Ｂｕｓ）ケーブル（通信ケーブル）４を介して接続され、ＵＳＢ規格に従ってデータ通信を行う。
パブリッシャー２は、ホスト装置３からデータ転送されたデータ（イメージファイル、印刷データおよび搬送制御データ）に従って、複数枚のディスクを順次処理していく。
【００１７】
詳述すると、パブリッシャー２は、ホスト装置３と接続するためのＵＳＢケーブル４をつなぐＵＳＢハブ１１と、複数枚のディスクを各々収容可能な４つのスタッカー（格納部）１２と、ディスクの記録面に対して記録および再生を行う２台のディスクドライブ（記録再生部）１３と、記録面と反対側に設けられるレーベル面に対して印刷処理を行うディスクプリンター（印刷部）１４と、スタッカー１２とディスクドライブ１３とディスクプリンター１４との間でディスクを搬送するオートローダー１５とを備え、これらが単一の筐体内に収容されている。
なお、ホスト装置３にパブリッシャー２を一台接続する構成に限らず、ホスト装置３に複数台のパブリッシャー２を接続することも可能である。
【００１８】
ＵＳＢハブ１１は、ホスト装置３とパブリッシャー２内の複数のデバイス（２台のディスクドライブ１３、ディスクプリンター１４およびオートローダー１５）とを通信接続するための通信インターフェース（物理インターフェース）であり、ホスト装置３および各デバイスがケーブル接続されるＵＳＢインターフェース（通信インターフェース）１６，１７と、デバイスの接続検出や信号の分配等を行うＵＳＢハブコントローラー１８とを備えている。
ＵＳＢハブ１１は、ホスト装置３からデータ転送されたデータを各デバイスに出力することにより、各ディスクドライブ１３に、受信したイメージファイルを順次出力し、ディスクプリンター１４に、受信した印刷データを順次出力し、オートローダー１５に、受信した搬送制御データを順次出力する。
【００１９】
ホスト装置３は、一般的なパーソナルコンピューター等を利用可能であり、パブリッシャー２との通信を行うＵＳＢインターフェース（通信インターフェース）２０と、キーボードやマウス等を有する入力部２１と、ディスプレイ等を有する表示部２２と、各部を制御する制御部２３と、制御プログラム等の各種データを書き込みおよび読み出し可能なハードディスク装置又はフラッシュメモリドライブ等からなる記憶装置（記憶部）２４とを備えている。
ＵＳＢインターフェース２０は、一台又は複数台のパブリッシャー２を接続するだけでなく、パブリッシャー２以外のＵＳＢデバイスを接続することができる公知のインターフェースである。
【００２０】
制御部２３は、ＣＰＵ（Ｃｅｎｔｒａl  Ｐｒｏｃｅｓｓｉｎｇ Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のハードウェアにより構成されている。そして、ホスト装置３に、パブリッシャー２用の管理アプリケーション３１およびドライバーソフト３２に対応する各種データをインストールすることにより、ホスト装置３をパブリッシャー２の制御装置として機能させることができる。
【００２１】
パブリッシャー２用のドライバーソフト３２は、統括制御部４１と、データ処理部４２と、印刷データ生成部４３と、２つのドライブ制御部４４と、プリンター制御部４５と、ローダー制御部４６とを備えている。
統括制御部４１は、メディア処理装置１の各部の情報や処理設定を記憶するとともに、ディスクに対する一連の処理（書き込みや印刷を行う発行処理等）をスケジューリングし、パブリッシャー２の各部の動作手順を制御する。
統括制御部４１は、この制御により、２台のディスクドライブ１３、ディスクプリンター１４およびオートローダー１５を、互いに干渉させることなく効率的に動作させる。
【００２２】
データ処理部４２は、ディスクに書き込めるイメージファイルを生成したり、記録済みディスクに記録されたデータを、ホスト装置３のＯＳ（Ｏｐｅｒａｔｉｎｇ  Ｓｙｓｔｅｍ）が展開処理等することができるファイル形式で読み込む機能を具備している。以下、説明を判りやすくするため、このファイル形式を、「対応ファイル形式」と言う。
イメージファイルを生成し、ディスクに書き込む場合には、ユーザーに指定されたデータ（記憶装置２４に記憶された一又は複数のファイルや、ディスクから読み出した一又は複数のファイル）を含むようにイメージファイルを生成し、このイメージファイルをパブリッシャー２に送信することによって、パブリッシャー２によってディスクに書き込まれる。
【００２３】
ここで、イメージファイルは、ディスクに記録する一又は複数のデータを、所定フォーマットで１つのファイルにまとめたデータであり、ディスクイメージデータ（メディアイメージデータ）とも称する。
図２は、イメージファイルの概要を示した図である。イメージファイルは、ディスクに規定されるディスクフォーマットに従って作成されており、ディスクの識別子であるボリュームラベル（ボリュームＩＤとも言う）、ディスクの作成日付等を記述したデータ領域ＤＡ、および、各種のファイルを記述したファイルデータ領域ＤＢ等を有している。
また、イメージファイルには、ディスクに記録されているデータを管理するためのファイルシステム情報も含まれている。このイメージファイルのフォーマットとしては、例えば、ＩＳＯ９６６０、Joliet、ＵＤＦ１．０２、又は、ＵＤＦ２．５が適用される。
また、データ処理部４２は、記録済みディスクから対応ファイル形式でファイルを読み出す機能だけでなく、記録済みディスクからイメージファイルを読み出す機能も有しており、対応ファイル形式でファイルを読み出すか、又は、イメージファイルを読み出すかを選択可能である。
【００２４】
印刷データ生成部４３は、ディスクのレーベル面に印刷するための印刷データ（例えばＰＲＮファイル）を生成する。
各ドライブ制御部４４は、統括制御部４１のスケジューリングに則ってパブリッシャー２の各ディスクドライブ１３に対してイメージファイルを順次出力して、各ディスクドライブ１３の書込み処理を制御する。
プリンター制御部４５は、統括制御部４１のスケジューリングに則ってパブリッシャー２のディスクプリンター１４に対して印刷データを順次出力して、ディスクプリンター１４の印刷処理を制御する。
ローダー制御部４６は、統括制御部４１のスケジューリングに則って搬送制御データを生成し、これをパブリッシャー２のオートローダー１５に順次出力して、オートローダー１５の搬送処理を制御する。
【００２５】
パブリッシャー２用の管理アプリケーション３１は、ユーザーに対し、ＧＵＩ（Ｇｒａｐｈｉｃａｌ  Ｕｓｅｒ  Ｉｎｔｅｒｆａｃｅ）を提供するアプリケーションであり、表示部２２に操作画面（ＧＵＩ画面）等の各種画面を表示させる。具体的には、管理アプリケーション３１は、情報取得部５１と、情報処理部５２と、表示制御部５３とを備えている。
情報取得部５１は、ドライバーソフト３２から、各デバイスの情報（ディスクプリンター１４のインク残量情報や、各スタッカー１２の管理情報（ディスクの積載量や種類）と、各処理デバイスの動作情報）を取得し、また、ホスト装置３とパブリッシャー２とのデータ転送経路の経路情報（ドライバーソフト３２、ＵＳＢインターフェース２０およびＵＳＢケーブル４のそれぞれにおける各転送モードへの対応情報）等を取得する。
また、情報取得部５１は、記憶装置２４或いは入力部２１を介して、ホスト装置３のユーザー等から指示された後述する記録対象データＤ１および印刷用データＤ２等を取得する手段としても機能する。
【００２６】
また、情報取得部５１は、記録済みディスクから読み出したデータ、或いは、記憶装置２４等に記録されたデータから、ＧＵＩを介して入力されたユーザー指示等に応じて、記録対象のディスクに記録する記録対象データＤ１や、ディスクに印刷する印刷用データＤ２や、ディスクのボリュームラベルおよびファイルシステム情報を記述したディスク管理用データＤ３を取得し、記憶装置２４に記憶させる（図１参照）。
情報処理部５２は、ＧＵＩを介して入力されたユーザー指示等に応じて各種の処理を実行する。これによって、情報処理部５２は、ユーザーの所定操作によりディスク発行処理を行うための操作画面や印刷イメージ等のイメージ画像を生成する画像生成部、表示制御部５３と協働して表示部２２に操作画面等を表示させる表示処理部、および、操作画面上に表示される各種操作ボタン（アイコンとも言う）の操作を受け付け、この操作に対応する各種処理（発行処理を含む）を実行する処理実行部（発行処理実行部）等として機能する。
表示制御部５３は、情報処理部５２の制御の下、操作画面を表示部２２に表示させる。
【００２７】
本実施形態のメディア処理装置１は、スタッカー１２に複数枚のディスクを格納し、オートローダー１５によって、各ディスクをディスクドライブ１３とディスクプリンター１４とに搬送可能であり、これによって、複数枚のディスクからデータの読み出しや、データ記録や印刷を選択的に行うことができ、複数枚の記録済みディスクを発行することができる。
メディア処理装置１が行う各種処理（データ読み出し、データ記録および印刷等）は、制御部２３が備える情報取得部５１、情報処理部５２および表示制御部５３等の機能により実行される。つまり、制御部２３は、記憶装置２４に記憶された管理アプリケーション３１のプログラムを実行することにより、情報取得部５１、情報処理部５２および表示制御部５３等の機能を実現し、ユーザーから各種指示を入力するための操作画面ＧＭを表示する。そして、入力部２１を介して入力されたユーザー指示に従って以下に述べる各種処理を実行することができる。
【００２８】
ところで、データを記録したディスクの作り替えの作業（マイグレーション作業）においては、記録面に記録されるデータのコピーに加え、レーベル面の印刷も必要になり、このデータ記録と印刷とを簡易に行うことが望まれる。
そこで、本実施形態では、マイグレーション作業等の容易化を図るべく、ディスクの記録面に、レーベル面の印刷に使用される印刷用データＤ２を記録させるようにしている。
【００２９】
図３は、文書等の電子化データを最初にディスクに記録する際の発行処理（第１発行処理）を示すフローチャートである。
まず、制御部２３は、入力部２１のユーザー操作等に基づいて表示部２２に操作画面ＧＭを表示させる（ステップＳＰ１）。この操作画面ＧＭには、大別すると、データ記録に関する操作画面（以下、「記録用操作画面」と言う）ＧＭ０（不図示）と、印刷に関する操作画面（以下、「印刷用操作画面」と言う）ＧＭ１（不図示）と、データ記録および印刷からなる発行を実行させる操作画面（以下、「発行用操作画面」と言う）ＧＭ２（後述する図４）とがある。
【００３０】
そして、上記の記録用操作画面ＧＭ０を表示させることによって、ユーザーから入力部２１を介して、記録対象データＤ１の指定を受け付けることができる。また、上記の発行用操作画面ＧＭ２を表示させることによって、ユーザーから入力部２１を介して、印刷用データＤ２の指定を受け付けることができる（ステップＳＰ２）。
図４は、発行用操作画面ＧＭ２の具体例を示した図である。
発行用操作画面ＧＭ２は、大別すると、作業内容の選択指示（「ディスク」、「レーベル」、「発行」）を受け付ける作業内容選択領域ＡＲ１と、レーベル面の印刷用データＤ２を記録させるか否かを選択する選択領域ＡＲＬと、記録面に記録される記録データのイメージ画像を表示する記録データ表示領域ＡＲ５と、レーベル面に印刷されるイメージ画像を表示する印刷イメージ表示領域ＡＲ６と、発行処理を指示する発行処理ボタンＡＲ７と、発行処理の各種設定を行う設定表示領域ＡＲ８とを備えている。
【００３１】
作業内容選択領域ＡＲ１において、「ディスク」で示す画像Ｇ１は、ディスクの記録面に関する操作画面（図２に示す操作画面ＧＭ０等）への切り替えを指示する操作ボタンとして機能し、「レーベル」で示す画像Ｇ２は、ディスクのレーベル面に関する操作画面（以下、「印刷内容確認画面」と言う）ＧＭ１（不図示）への切り替えを指示する操作ボタンとして機能する。
また、「発行」で示す画像Ｇ３は、図４に示す発行用操作画面ＧＭ２への切り替えを指示する操作ボタンとして機能する。
また、上記「ディスク」、「レーベル」、「発行」で示す画像Ｇ１〜Ｇ３のうち、現在表示中の操作画面ＧＭ０〜ＧＭ２に対応する１つの画像Ｇ１〜Ｇ３は、他の画像と色や濃度等が異なる態様で表示され、現在表示中の操作画面ＧＭを、ユーザーに通知する。なお、図４では、「発行」で示す画像Ｇ３が他の画像Ｇ１およびＧ２よりも濃い色で表示されている。
【００３２】
選択領域ＡＲＬには、レーベル面の印刷用データＤ２を記録させるか否か（図４中、「レーベルファイルを埋め込む」か否か）を選択するチェックボックスＣＫＬと、ディスク管理用データＤ３を記録させるか否か（図４中、「ディスク管理ファイルを埋め込む」か否か）を選択するチェックボックスＣＫＤと、印刷用データＤ２やディスク管理用データＤ３の格納先となる予約フォルダーＦＸのフォルダー名を入力する入力領域ＫＬとが表示される。
このため、ユーザーはチェックボックスＣＫＬ，ＣＫＤを選択的にチェックすることによって、印刷用データＤ２やディスク管理用データＤ３を記録させるか否かを任意に選択できるとともに、予約フォルダー名を任意に設定することができる。
なお、図４では、両チェックボックスＣＫＬ，ＣＫＤがチェックされ、入力領域ＫＬに「Label」が入力された状態を示している。
【００３３】
記録データ表示領域ＡＲ５には、ステップＳＰ２で受け付けた記録対象データＤ１のファイル構造、つまり、記録面に記録されるデータのファイル構造（ファイル／ディレクトリの階層構造）のイメージ画像が表示され、少なくともファイル名、ディレクトリ名が表示される。
図４の例では、記録データ表示領域ＡＲ５に、対象ディスクに記録する最上位の階層のファイル／フォルダー構造を表示した状態を示しており、図４中、「Data1」、「Data2」、「Data3」で示す３つのフォルダーが、ステップＳＰ２でユーザーが指定した記録対象データＤ１を示している。
ファイル構造のうち、特にファイル名やフォルダー名は、記録データの内容を知る手がかりとなるため、このイメージ画像によって、ユーザーは記録データの詳細を視覚で容易に確認することが可能になる。
なお、図４では、予約フォルダーＦＸが記録データ表示領域ＡＲ５内に表示されている状態を示しているが、予約フォルダーＦＸは、後述する発行処理ボタンＡＲ７が操作するまでは表示されない情報である。
【００３４】
図４に示すように、印刷イメージ表示領域ＡＲ６には、ディスクのレーベル面に印刷した場合の印刷イメージ画像が表示されるので、ユーザーは、印刷イメージを視覚で正確に確認することができる。
しかも、記録データ表示領域ＡＲ５と印刷イメージ表示領域ＡＲ６とが左右に並べて配置されるので、ユーザーは、ディスクの記録面に記録される記録データのイメージ画像と、同じディスクのレーベル面に印刷されるイメージ画像との組み合わせを視覚で容易に確認することができる。
また、設定表示領域ＡＲ８には、発行処理の各種設定に対応するディスクの供給元や排出先、書き込み速度等の設定が表示され、ユーザーの操作に応じて各種設定を視覚で確認でき、設定を変更することが可能である。また、発行処理ボタンＡＲ７は、ユーザーからの発行指示を受け付ける操作ボタンである。
【００３５】
図３に戻り、発行用操作画面ＧＭ２中の発行処理ボタンＡＲ７が操作されると、制御部２３は、発行指示をトリガとして、レーベル面の印刷用データＤ２等を記録面に記録する記録データに追加設定するステップＳＰ３の処理（記録データ設定処理）を行い、続いて、発行用操作画面ＧＭ２の記録データ表示領域ＡＲ５と印刷イメージ表示領域ＡＲ６とに表示した組み合わせで、データ記録と印刷とからなる発行処理を実行させる（ステップＳＰ４）。
このステップＳＰ３の記録データ設定処理では、制御部２３は、予約フォルダーＦＸを作成する予約フォルダー作成処理と、この予約フォルダーＦＸを、記録データ表示領域ＡＲ５内に追加表示させる予約フォルダー表示処理とを行う。
【００３６】
予約フォルダー作成処理として、制御部２３は、まず、入力領域ＫＬに入力されたフォルダー名（「Label」）を付した予約フォルダーＦＸを記憶装置２４内に生成し、この予約フォルダーＦＸ内に、図５に示すように、印刷用データ（「Label.jpg」で示すデータ）Ｄ２と、ディスク管理用データ（「Discinfo.txt」で示すデータ）Ｄ３とを格納させる。
図５に示すように、印刷用データＤ２は、レーベル面の画像を示すｊｐｅｇ（Ｊｏｉｎｔ  Ｐｈｏｔｏｇｒａｐｈｉｃ  Ｅｘｐｅｒｔｓ  Ｇｒｏｕｐ）形式の静止画データで形成されており、ディスク管理用データＤ３は、ボリュームラベルおよびファイルシステム情報等のディスク管理情報を記述したテキストファイル形式のデータで形成されている。これらは、いずれもホスト装置３（制御部２３）が展開可能なファイル形式であり、ホスト装置３側で容易に展開してユーザーが内容を確認することができるデータである。
【００３７】
予約フォルダー表示処理は、図４に示すように、記録データ表示領域ＡＲ５内において、対象ディスクの所定階層（本実施形態では最上位の階層）に予約フォルダーＦＸを追記表示させる処理である。
ここで、上記ステップＳＰ２で記録対象データＤ２の指定を受け付ける際には、制御部２３は、記録対象データＤ１の容量が、予約フォルダーＦＸに割り当てる容量（印刷用データＤ２とディスク管理用データＤ３を記録するのに十分な予め定めた容量）を確保できない大容量か否かを判定し、大容量の場合には、予め定めたメッセージ報知処理等を行い、その記録対象データＤ１の指定は受け付けない、という記録対象データ制限処理を行う。
なお、予約フォルダーＦＸに割り当てる容量を確保できない大容量の場合とは、予約フォルダーＦＸと記録対象データＤ１とのトータルの容量が、記録対象のディスクの記録容量を超える場合である。
【００３８】
この記録対象データ制限処理を行うことによって、ステップＳＰ３の記録データ設定処理で作成された予約フォルダーＦＸと、ステップＳＰ２で受け付けた記録対象データＤ２との総容量は、対象ディスクの総容量以下であり、対象ディスクへのデータ記録が可能である。
つまり、制御部２３は、記録対象データＤ２の容量が、ディスクに対する記録対象データＤ１と予約フォルダーＦＸとのデータ記録を阻害する容量か否かを判定する判定部として機能し、データ記録を阻害する場合に記録対象データＤ１の指定は受け付けず、データ記録を阻害しない場合に記録対象データＤ１の指定を受け付けてステップＳＰ４の処理へ移行する。
これによって、ステップＳＰ４にて、発行用操作画面ＧＭ２の記録データ表示領域ＡＲ５と印刷イメージ表示領域ＡＲ６とに表示した組み合わせで、データ記録と印刷とを適切に行うことができる。なお、このデータ記録の際、ディスク管理用データＤ３に記録されるディスク管理情報に基づいて、発行先のディスクのボリュームラベル等が設定される。
このように、本実施形態では、発行用操作画面ＧＭ２を見て、ユーザーが記録データと印刷画像の組み合わせを視覚で確認した後に、発行処理を実行することができるので、記録データの指定や印刷画像の指定を誤った場合は、上記の組み合わせ確認画面ＧＭ３にてユーザーが容易に気づくことができ、記録データの指定又は印刷画像の指定を誤ったままディスクを発行してしまう事態を避けることができる。
【００３９】
しかも、ディスクの記録面には、このディスクのレーベル面の印刷に使用した印刷用データＤ２が記録されているので、このディスクの作り替えの作業（マイグレーション作業）を行う際に、この印刷用データＤ２を読み出し、発行先のディスクのレーベル面に印刷する作業を容易に行い、このディスクを用いて殆ど同じ複製ディスクを作り易くなる。
また、ディスクの記録面には、ボリュームラベル等のディスク管理情報を記述したディスク管理用データＤ３も記録されるので、マイグレーション作業を行う際に、このディスク管理用データＤ３を展開してボリュームラベル等のディスク情報（ディスク管理情報とも言う）を容易に知ることができる。従って、このディスク管理用データＤ３を用いることでディスク管理情報も同じ複製ディスクを作ることができる。
【００４０】
また、印刷用データＤ２およびディスク管理用データＤ３は、予め指定された予約フォルダーＦＸにまとめて格納されるので、両データＤ２、Ｄ３を容易に見つけることができる。しかも、発行用操作画面ＧＭ２中のチェックボックスＣＫＬ，ＣＫＤのチェックの有無によって、印刷用データＤ２およびディスク管理用データＤ３を記録するか否かが決定される。このため、印刷用データＤ２およびディスク管理用データＤ３を記録するか否かをユーザーが容易に設定することができる。
さらに、本実施形態のメディア処理装置１は、上記の発行処理（第１発行処理）で作成されたディスクの複製を行う発行処理（第２発行処理）を実行する機能も有している。
【００４１】
図６は、第２発行処理を示すフローチャートである。
この第２発行処理は、所定の操作画面ＧＭを介してユーザーが複製指示をすることによって実行される。
第２発行処理においては、まず、制御部２３は、指定されたスタッカー１２から複製元ディスク（記録済みメディア）をオートローダー１５によりディスクドライブ１３へ搬送させ、ディスクドライブ１３により、複製元ディスクに記録されたデータから対応ファイル形式のファイル（記録対象データＤ１、印刷用データＤ２およびディスク管理用データＤ３）を全て読み出し、記憶装置２４に記憶させる（ステップＳＰ１１）。
【００４２】
次に、制御部２３は、読み出したファイル（記録対象データＤ１、印刷用データＤ２およびディスク管理用データＤ３）から、複製先メディアに規定されるイメージファイル（一般的にＩＳＯ形式のファイル）を作成し、作成したイメージファイルを、ディスクドライブ１３によって複製先ディスクにデータ記録させる（ステップＳ１２）。
なお、複製先ディスクは、予め指定されたスタッカー１２からディスクドライブ１３へ搬送されたブランクディスクである。また、データを読み出した複製元メディアは、オートローダー１５により排出先に指定されたスタッカー１２に排出される。
このデータ記録の際、制御部２３は、読み出したファイルに含まれるディスク管理用データＤ３に基づいて、複製先ディスクにボリュームラベル等のディスク管理情報を設定する。
【００４３】
すなわち、ディスク管理用データＤ３は、複製元ディスクから読み出した対応ファイル形式のデータには含まれないディスク管理情報が記述され、本実施形態では、このディスク管理情報を利用して複製先ディスクのディスク管理情報を設定するので、複製元ディスクと同じディスク管理情報を容易に設定することができる。しかも、このディスク管理情報を含むイメージファイルを作成し、データ記録するので、複製元ディスクのディスク管理情報を複製先ディスクでも容易に確認することができる。
なお、ディスク管理情報を複製先ディスクと同じにするか否かをユーザーが選択可能にしても良い。
【００４４】
次いで、制御部２３は、複製先ディスクをオートローダー１５によりディスクプリンター１４へ搬送させ、記憶装置２４内に記憶される印刷用データＤ２を用いて印刷画像を生成し、生成した印刷画像に対応する印刷データをパブリッシャー２に送信することにより、ディスクプリンター１４により複製先ディスクのレーベル面に印刷を行う（ステップＳ１３）。これによって、複製先ディスクのレーベル面に、複製元ディスクと同じ画像を印刷することができる。
以上により、複製元ディスクと記録面およびレーベル面の両面が殆ど同じ複製ディスクを自動的に作成することができる。なお、この複製が終了した後は、記憶装置２４に記憶される複製元ディスクのデータは削除されるが、ユーザーの設定に応じて削除しないようにしても良い。このようにして、ディスクのマイグレーション作業を容易に行うことが可能になる。
【００４５】
以上説明したように、本実施の形態によれば、データ記録が指示される記録対象データＤ１と、印刷に使用される印刷用データＤ２とを取得し、発行処理が指示された場合に、記録対象データＤ１と印刷用データＤ２とをディスクにデータ記録させるとともに、印刷用データＤ２に基づいてディスクに印刷させるので、マイグレーション作業を行う際に、印刷用データＤ２を用いて複製元ディスクと同じレーベル面に印刷することができる。従って、殆ど同じ複製ディスクを作り易くなり、記録面とレーベル面の複製に適した処理を行うことが可能になる。
さらに、記録対象データＤ１と区分けされる予約フォルダーＦＸに、印刷用データＤ２を格納させてディスクにデータ記録させるので、ディスクに記録されたデータの中から印刷用データＤ２を探し易くなる。
【００４６】
また、予約フォルダーＦＸを、予め指定されたフォルダー名のフォルダーにするので、これによっても、印刷用データＤ２を探し易くなる。
また、ディスクの複製が指示された場合、複製元ディスクに記録された記録対象データＤ１と印刷用データＤ２とを読み取り、読み取った両データＤ１、Ｄ２を複製先のディスクにデータ記録させるとともに、読み取った印刷用データＤ２に基づいて複製先ディスクに印刷させるので、複製元ディスクと殆ど同じ複製先ディスクを容易に作成することができる。
また、複製元ディスクに記録された記録対象データＤ１と印刷用データＤ２とを、ホスト装置３（制御部２３）が展開可能なファイル形式のデータで読み取り、読み取った両データを含むイメージファイルに変換して複製先ディスクにデータ記録させるので、複製先ディスクに記録された各データＤ１，Ｄ２を容易に展開等することができる。
【００４７】
しかも、複製元ディスクから、記録対象データＤ１や印刷用データＤ２に含まれないディスク管理情報（メディア管理情報）を記述したディスク管理用データＤ３を読み取り、このディスク管理用データＤ３を含むイメージファイルを生成して複製先ディスクにデータ記録させるので、複製先ディスクに記録されたディスク管理情報を容易に確認することができる。また、このディスク管理情報を使用して複製先ディスクのディスク管理情報を設定することにより、複製先ディスクのディスク管理情報を、複製元ディスクと同じ情報に容易に設定することができる。
また、記録対象データＤ１の容量が、ディスクに対する記録対象データＤ１と予約フォルダーＦＸとのデータ記録を阻害する容量か否かを判定し、阻害しない場合に記録対象データＤ１と印刷用データＤ２等をデータ記録させるので、記録対象データＤ１の容量が適正か否かをデータ記録前に判定することができる。
【００４８】
なお、上記の実施形態では、記録対象データＤ１、印刷用データＤ２およびディスク管理用データＤ３をデータ記録する場合を説明したが、ディスク管理用データＤ３のデータ記録を省略し、記録対象データＤ１と印刷用データＤ２をデータ記録させるようにしても良い。
また、上記の実施形態では、ディスクから読み出した記録対象データＤ１、印刷用データＤ２およびディスク管理用データＤ３を、ホスト装置３の記憶装置２４に記憶する場合を説明したが、これに限らず、ホスト装置３にネットワーク接続されるネットワークストレージに格納してもよい。この場合、このネットワークストレージに接続される他のホスト装置３やパーソナルコンピューターにて、上記データを共用することができる。
【００４９】
また、上記の実施形態では、記録対象データＤ１の容量が、ディスクに対する記録対象データＤ１と予約フォルダーＦＸとのデータ記録を阻害する容量か否かをデータ記録前に判定する場合を説明したが、これに限らない。また、ステップＳＰ２のタイミングに限らず、例えばステップＳＰ３のタイミングや、ステップＳ４のタイミングで、上記判定処理を行うようにしても良い。
例えば、記録対象データＤ１のフォルダー名が、予約フォルダーＦＸのフォルダー名と同じフォルダーか否かをデータ記録前に判定し、異なるフォルダー名の場合に限ってディスクに対する記録対象データＤ１と予約フォルダーＦＸとのデータ記録を行っても良い。
要は、記録対象データＤ１の容量若しくはフォルダー名の少なくともいずれかが、予約フォルダーＦＸ（印刷用データＤ２、ディスク管理用データＤ３）のデータ記録を阻害する容量若しくはフォルダー名か否かを判定し、データ記録を阻害しない場合に記録対象データＤ１と予約フォルダーＦＸとをデータ記録させれば良い。
【００５０】
また、上記の実施形態では、本発明をパブリッシャー２とホスト装置３とが別体で構成されるメディア処理装置１に適用する場合を説明したが、これに限らず、本発明をパブリッシャー２とホスト装置３とが一体化した一体構造のメディア処理装置に適用しても良い。
また、上記実施の形態では、ディスクを処理対象とするメディア処理装置に本発明を適用する場合を説明したが、ディスク以外の他のメディアを処理対象とするメディア処理装置に本発明を広く適用することができる。
【００５１】
また、上記の実施形態では、メディアの発行処理等を行うための制御プログラムを、ホスト装置３の記憶装置２４に予め記憶しておく場合を説明したが、これに限らず、この制御プログラムを磁気記録媒体、光記録媒体、半導体記録媒体等のコンピューターが読み取り可能な記録媒体に格納し、コンピューターが記録媒体からこの制御プログラムを読み取って実行しても良い。また、この制御プログラムを通信ネットワーク上の配信サーバー等からダウンロードしても良い。
また、上述した変形例によらず、メディア処理装置１、パブリッシャー２およびホスト装置３の装置構成や処理等について、本発明の要旨を変更しない範囲で適宜に変更が可能である。
また、上述した変形例によらず、メディア処理装置１、パブリッシャー２およびホスト装置３の装置構成や処理等について、本発明の要旨を変更しない範囲で適宜に変更が可能である。
【符号の説明】
【００５２】
１…メディア処理装置、２…パブリッシャー（メディア発行装置）、３…ホスト装置（制御装置）、１３…ディスクドライブ（記録再生部）、１４…ディスクプリンター（印刷部）、２３…制御部（判定部）、２４…記憶装置（記憶部）、５１…情報取得部。
【図１】
2014120185.tif 000003
【図２】
2014120185.tif 000004
【図３】
2014120185.tif 000005
【図４】
2014120185.tif 000006
【図５】
2014120185.tif 000007
【図６】
2014120185.tif 000008